(57)【要約】      （修正有）【課題】コーヒー用のシロップやフレッシュ等の容器を開け易くし、且つ中身の飛び出しを防止する道具を提供する。【解決手段】コーヒー用のシロップやフレッシュ等の容器の天面のシールドを開封する際、開けにくさや中身の飛び出しの原因となる柔らかい胴体部を押さえること無く、しっかりと容器を持つ手に固定させる仕組みのホルダーである。【選択図】図６
0003144530.tif 000002
【実用新案登録請求の範囲】
【請求項１】
本考案は、上端と下端で大小の口径差をつけたやや下細りの円筒で、上下は抜け、中は空洞、側面の一カ所には上端から下端にかけてスリットが入り、内径は上端が２．３ｃｍ以上３ｃｍ以下、下端は１．８ｃｍ以上２．５ｃｍ以下、高さは５ｃｍ以下のサイズで樹脂やプラスチック等の軽く柔軟性のある素材で３ｍｍ以下の厚みで成形した小道具で、コーヒー用のシロップやフレッシュ等の容器を開封する際に用いる道具であり、それぞれの容器の口径によって上端と下端の大小の口径を使い分ける容器ホルダーである。
【考案の詳細な説明】
【技術分野】
【０００１】  本考案は、コーヒー用のシロップやフレッシュ等の容器を容易に且つ中身が飛び出さないように開封する為に用いる道具に関するものである
【背景技術】
【０００２】  従来、コーヒー用のシロップやフレッシュの容器は構造上、シールドされた天面部は固く、それ以外の部分は容易く押さえられて中身をコーヒーに注げるように柔らかくデリケートに造られている。しかし、これがかえって容器の持ちにくさという欠点となり、天面のツメを折り、蓋となっているシールドを引き剥がし開封する一連の行為に有する大きな力に対抗し、持つ手の指で容器を固定しようとすると、どうしても容器の柔らかい胴体部を押さえざるをえず、大きな負荷をかけてしまうこととなり、図９に示す様に、結果、中身が飛び出てしまうことも頻繁であった。特に女性やお年寄り、また利き腕を損傷している人（ギブス等をはめている人）等にはその力加減のコントロールが難しく開け辛いのが現状であった。
【考案の開示】
【考案が解決しようとする課題】
【０００３】  シロップやフレッシュの製造メーカーにとってライン生産による容器自体の改良はコスト的にも容易い事では無い。従って利用する側が何らかの手段を用いて、容器の柔らかい胴体部を押さえる無く、シールドの蓋を引き剥がす際にかかる大きな力に対処することが課題であり、その課題を解決することで、開けにくさと中身の飛び出しの問題もおのずと解決されるものである。
【課題を解決するための手段】
【０００４】  本考案は、上端と下端で大小の口径差をつけたやや下細りの円筒で、上下は抜け、中は空洞、側面の一カ所には上端から下端にかけてスリットが入り、内径は上端が２．３ｃｍ以上３ｃｍ以下、下端は１．８ｃｍ以上２．５ｃｍ以下、高さは５ｃｍ以下のサイズで樹脂やプラスチック等の軽く柔軟性のある素材で３ｍｍ以下の厚みで成形した小道具で、コーヒー用のシロップやフレッシュ等の容器を開封する際に用いる道具であり、それぞれの容器の口径によって上端と下端の大小の口径を使い分ける容器ホルダーで、これを用いることで、持つ手がその容器の柔らかい胴体部を押さえる無く、固い天面部を押さえるだけで容器をしっかり固定させる事が可能となり、上述の課題と問題点を解決するものである。
【考案の効果】
【０００５】  老若男女、利き腕に損傷を受けている人等を問わず、シロップやフレッシュ等の容器を安定した力でしっかりと持つ手に保持できるようになり、誰にでも容易に且つ中身が飛び出す事無く容器を開封できるようになった。また精神的な面でも、中身が飛び出す事の不安感から解放され安心感がもたらされると同時に、ホルダーを握る感触の良さとシールドの蓋を開ける一連の動作の心地よさも加わってストレスの解消にも繋がっている。又、ホルダーのスリットを利用して、図３に示す様に、ショルダーバッグのベルトや鞄のポケットに挟んだりしてアクセサリーとしても楽しめるなど、多様性も生まれた。
【考案を実施するための最良の形態】
【０００６】  単純な構造と仕組みを持ち、且つ柔軟性のある軽い適宜素材によって成形することで誰にでも簡単で安全に使用できるものとした。また、側面の一カ所にスリットを入れることで、メーカーごとにサイズや形の異なる容器のほとんどに対応する汎用性が生まれると同時に、ホルダー自体の口径の最小化が可能となり、あらゆるコーヒーショップでいつでも手軽に利用できる携行可能な道具としてファッション的にも面白いアイテムとなった。【０００７】  以下、実施例を添付図面によって説明する。図１のホルダーの上端Ａはシロップ容器固定口で、内径は最小で２．３ｃｍとし、主にシロップの容器を開封する際に使用。下端Ｂはフレッシュ容器固定口で内径が最小で１．８ｃｍとし、主にフレッシュやレモン液などの小さな容器を開封する際に使用する。円筒の高さは５ｃｍ以下であり、適宜素材の厚みは、ホルダーの口径の伸縮と容器天面のツメの折り易さを考慮して３ｍｍ以下とする。図２に示すアの部分は上端から下端にかけてのスリットで、ほとんどの容器のサイズや形に対応することを可能にするものである。イのスリット部分の片辺を山形にカットすることで、物に挟む機能が付加された。【０００８】  以下、この小道具の用法を説明する。図４に示す通り、まず、ホルダーを人差し指と中指で軽く握り、薬指をホルダーを支えるようホルダーの下にあてがう。そしてシロップの容器を上端Ａに上から装着するが、容器はホルダーにすっぽりと埋まってしまわず途中で止まる。これは上端Ａがシロップの容器の底面の口径（数社メーカーの最大と最小を除いた中間サイズの平均値）より少しだけ広くしてあり、シロップの容器自体も底面から上部へ向かうほどに太くなっている形式のためである。次に親指で容器の天面の固い部分だけに圧力をかけ下に押していくが、この時、ホルダーは薬指だけで支えられ、人差し指と中指は添えているだけなのでホルダーを握る力はほとんどいらず、勿論、ホルダー内のシロップの容器の柔らかい胴体部に握る圧力はかからない。さらに容器を押すと図５の様に容器はホルダーにしっかりと安定的に固定される。これは容器を上から下へ押さえ付ける圧力がホルダー自体の樹脂の口径を無理矢理に広げ、その口径を元に戻そうとしてシロップの容器を内側へ締め付けようとすホルダーの力と容器自体の復元力が互いに反発力となって働き、それが容器の底面から上部へ向かうほどに太くなっている形式の為に、容器を上へと弾き出す上向きの力へと置き換えられるからである。その結果、いくら強い力で容器の天面を押そうが容器の柔らかい部分に対して内側へ向けて働く負荷は抹消され、上下のみに働く力加減だけで安定した固定が可能となり、図６に示す様に、親指で容器を押さえたまま天面のツメを折りシールドの蓋を引き開けても中身が飛び出すことは無い。そして、図７の様に、そのままホルダーを傾けて中身を注ぐこともできるし、上から押さえている親指を外せば、容器は前述の作用によって自動的に少し上に押し上げられ、ホルダーから抜き取り易くなるので、容器だけを取り出して注ぐのも良い。下端Ｂを使ってフレッシュ等の口径の小さな容器を開封する際も図８の通りで、前述の上端Ａを使ってシロップの容器を開ける時と同じ手順と理論に準ずる。【０００９】  以下、さらなるホルダーの発展系を述べる。１）ホルダーの表面に小さな突起を多く付ける事で、手のひらのツボ刺激の道具として利用できる。２）側面の一カ所に上下面と平行に短いスリットを入れることで、容器天面のツメを引っ掛けて折る機能を付加することもできる。
【図面の簡単な説明】
【００１０】
【図１】本体正面図
【図２】本体後面図
【図３】スリットを利用してホルダーをショルダーバッグのベルトに挟んでいる様子
【図４】シロップの容器の装着図
【図５】シロップの容器に上から親指で圧力をかける図
【図６】シロップの容器の固定後、シールドの蓋を引き開ける図
【図７】シロップの容器をホルダーに付けたまま中身を注ぐ図
【図８】下端Ｂでフレッシュの容器を開封する図
【図９】ホルダー無しで容器を開ける時に中身が飛び出してしまう欠損図
【符号の説明】
【００１１】上端Ａ  シロップ容器固定口
下端Ｂ  フレッシュ容器固定口
ア    スリット
イ    スリット片辺の山形カット
ａ    シロップの容器
ｂ    フレッシュ等の口径の小さい容器
【図１】
0003144530.tif 000003
【図２】
0003144530.tif 000004
【図３】
0003144530.tif 000005
【図４】
0003144530.tif 000006
【図５】
0003144530.tif 000007
【図６】
0003144530.tif 000008
【図７】
0003144530.tif 000009
【図８】
0003144530.tif 000010
【図９】
0003144530.tif 000011